(57)【要約】【課題】  複数の公衆移動網（ＰＬＭＮ）による複数の周波数が存在する場合に、ある特定のＰＬＭＮに属するセルを短時間で検出する。【解決手段】  受信した復調信号に基づいて複数の基地局２１〜２Ｎから所定の無線ゾーンを探し出すセルサーチ部１３と、ＰＬＭＮとＰＬＭＮの運用周波数情報とを記憶するセル情報記憶部１５と、セル情報記憶部１５の記憶内容に基づいてセルサーチ部１３に対して所定のセルをサーチするように指示し、指示したサーチ結果に基づいてセル情報記憶部１５の内容を更新させるセルサーチ制御部１４と、を備える。セルサーチ制御部１４は、サーチ対象となる複数の周波数帯域を分類してセル情報記憶部１５に記憶して管理し、予め優先度順に従って分類した周波数帯域に基づいてセルに対応する周波数を順次検索するようにセルサーチ部に指示する。【選択図】  図１
2006100992.tif 000002
【特許請求の範囲】
【請求項１】
移動通信端末装置が所定のＰＬＭＮに属するセルを検出する周波数検索方法であって、
前記セルを検出する際に、予め優先度順に従って分類した周波数帯域に基づいて前記セルに対応する周波数を順次検索することを特徴とする周波数検索方法。
【請求項２】
前記周波数帯域を、過去のセルサーチの結果に基づいて優先的な検索対象となる周波数帯域と非優先的な検索対象となる周波数帯域とに分類することを特徴とする請求項１記載の周波数検索方法。
【請求項３】
移動通信端末装置が所定のＰＬＭＮに属するセルを検出する周波数検索方法であって、
（ａ）接続対象のＰＬＭＮと接続するために保存されている周波数を検索するステップと、
（ｂ）前記ＰＬＭＮに属するセルを検出したか否かをチェックし、セルが検出されない場合は、（ｃ）に進むステップと、
（ｃ）前記ＰＬＭＮの運用周波数帯域に属する周波数を検索するステップと、
（ｄ）前記ＰＬＭＮに属するセルを検出したか否かをチェックし、セルが検出されない場合は、（ｅ）に進むステップと、
（ｅ）前記ＰＬＭＮの運用周波数帯域候補があるか否かを判定し、前記運用周波数帯域候補がある場合は、（ｆ）に進むステップと、
（ｆ）前記運用周波数帯域候補に属する周波数を検索するステップと、
（ｇ）前記ＰＬＭＮに属するセルを検出したか否かをチェックし、前記ＰＬＭＮに属するセルが検出されない場合は、次の運用周波数帯域候補を探すために、（ｅ）に進むステップと、
を含むことを特徴とする周波数検索方法。
【請求項４】
前記ステップ（ｂ）、前記ステップ（ｄ）、前記ステップ（ｇ）のいずれかにおいて前記ＰＬＭＮに属するセルが検出された場合は、検出した周波数を前記ＰＬＭＮと共に保存し、保存した周波数に対応する前記ＰＬＭＮの運用周波数帯域に関する保存内容を更新するステップをさらに含むことを特徴とする請求項３記載の周波数検索方法。
【請求項５】
前記ＰＬＭＮの運用周波数帯域に隣接する周波数帯域を、前記運用周波数帯域候補の一番目とし、前記一番目に隣接し、かつ前記対象のＰＬＭＮの運用周波数帯域でない周波数帯域を、前記運用周波数帯域候補の二番目とし、順次、隣接する周波数帯域を、前記運用周波数帯域候補として定めることを特徴とする請求項３記載の周波数検索方法。
【請求項６】
前記運用周波数帯域候補を定めるに際し、接続対象外のＰＬＭＮの運用周波数帯域を除外することを特徴とする請求項５記載の周波数検索方法。
【請求項７】
前記運用周波数帯域候補を定めるに際し、前記運用周波数帯域の半分未満の範囲内でずらすことを特徴とする請求項５記載の周波数検索方法。
【請求項８】
受信した復調信号に基づいて複数の基地局から所定の無線ゾーンを探し出すセルサーチ部と、
ＰＬＭＮと前記ＰＬＭＮの運用周波数情報とを記憶するセル情報記憶部と、
前記セル情報記憶部の記憶内容に基づいて前記セルサーチ部に対して所定のセルをサーチするように指示し、指示したサーチ結果に基づいて前記セル情報記憶部の内容を更新させるセルサーチ制御部と、
を備え、
前記セルサーチ制御部は、サーチ対象となる複数の周波数帯域を分類して前記セル情報記憶部に記憶して管理し、予め優先度順に従って分類した周波数帯域に基づいて前記セルに対応する周波数を順次検索するように前記セルサーチ部に指示することを特徴とする移動通信端末装置。
【請求項９】
前記セルサーチ制御部は、前記複数の周波数帯域を、過去のセルサーチの結果に基づいて優先的な検索対象となる周波数帯域と非優先的な検索対象となる周波数帯域とに分類して管理することを特徴とする請求項８記載の移動通信端末装置。
【請求項１０】
前記セルサーチ制御部は、前記サーチ対象となる周波数帯域を運用周波数帯域候補とし、接続対象のＰＬＭＮの運用周波数帯域に隣接する周波数帯域を、前記運用周波数帯域候補の前記優先度の一番目とし、前記一番目に隣接し、かつ前記接続対象のＰＬＭＮの運用周波数帯域でない周波数帯域を、前記運用周波数帯域候補の前記優先度の二番目とし、順次、隣接する周波数帯域を、前記運用周波数帯域候補として定めることを特徴とする請求項８記載の移動通信端末装置。
【請求項１１】
前記セルサーチ制御部は、前記運用周波数帯域候補を定めるに際し、接続対象外のＰＬＭＮの運用周波数帯域を除外することを特徴とする請求項１０記載の移動通信端末装置。
【請求項１２】
前記セルサーチ制御部は、前記運用周波数帯域候補を定めるに際し、前記運用周波数帯域の半分未満の範囲内でずらすことを特徴とする請求項１０記載の移動通信端末装置。
【発明の詳細な説明】
【技術分野】
【０００１】
本発明は、移動通信端末装置及びその周波数検出方法に係り、特にＷ−ＣＤＭＡ（Wideband Code Division Multiple Access）方式の公衆移動網にアクセスする移動通信端末装置及びその周波数検出方法に係る。なお、本発明において、公衆移動網をＰＬＭＮ（Public Land Mobile Network）という。
【背景技術】
【０００２】
ＣＤＭＡ（Code Division Multiple Access：符号分割多元接続）方式により無線接続する移動体通信システムでは、周波数とコードにより識別されるセルと呼ばれる無線ゾーンを１つのエリアとして通信エリアを形成している。そして、そのセルを識別する周波数とコードは、複数の運用が可能であり、複数の事業者が運営するＰＬＭＮが存在する場合、それぞれの事業者には使用可能な周波数が割り当てられている。ある特定の事業者に割り当てられる周波数は、国ごとに決定されるものであり、使用する周波数の運用は、事業者により決定される。周波数帯域の例としては、３ＧＰＰ（3rd Generation Partnership Project）において、ＣＤＭＡ方式で割り当てられる無線基地局から移動通信端末装置方向の周波数帯域として、２１１０ＭＨｚから２１７０ＭＨｚの６０ＭＨｚが規定されている。このような周波数帯域の構成では、中心周波数として２１１２．４ＭＨｚから２１６７．６ＭＨｚまで２００ＫＨｚ毎に設定可能であるため、運用可能な周波数設定は、２７７通りになる。２７７通り全ての運用可能な周波数を検索するには、かなりの時間を要することになる。
【０００３】
この様子を周波数軸上で説明する。図７は、ＰＬＭＮで運用される周波数の例を示す図である。図７（ａ）で示すエリアでは、ＰＬＭＮ＿Ａの周波数として周波数Ｆ０１が運用され、ＰＬＭＮ＿Ｂの周波数として周波数Ｆ１１、Ｆ１２が運用されている。移動通信端末装置が、図７（ａ）で示すエリアでＰＬＭＮ＿Ａに接続した場合、ＰＬＭＮ＿Ａの周波数として、周波数Ｆ０１を保存する。ビル陰やエレベータホール等により圏外となるケースで同エリアにいる場合は、保存周波数Ｆ０１を再検出するため問題にならないと考えられる。しかし、図７（ｂ）で示すエリアへ移動した場合には、保存周波数Ｆ０１を再検出することができず、ＰＬＭＮ＿Ａとして運用される周波数Ｆ０２、Ｆ０３を検出するために、全周波数の検索が必要となり、検出処理に長時間を要することになる。
【０００４】
このように、移動体通信システムにおいて移動通信端末装置は、ある特定のＰＬＭＮに接続するため、複数のセルからの信号を受信し、その受信電界強度から通信可能なセルを検出するセルサーチを行っている。このセルサーチでは、運用されている可能性のある周波数を順次検出する必要があるため、検索する周波数の数が多いほど検出に時間がかかり、移動通信端末装置における消費電力も増加してしまう。そこで、セルサーチあるいはチャネルスキャンにおける種々の工夫がなされている。
【０００５】
例えば、特許文献１には、高速にセルサーチ（仮待ち受けセルの決定）を行うことができる携帯電話装置及びそれに用いる高速バンドセルサーチ方法が開示されている。この方法は、少なくとも電源投入時及び長時間圏外のいずれかで行う全バンドセルサーチ時に全帯域の電力分布を測定してサーチ帯域の制限及び順位付けを行うための簡易サーチを行う。そして、簡易サーチによって制限されたサーチ帯域内をコード同定からコード電力測定までを行って仮待ち受けセルを決定する通常バンドセルサーチを行うものである。
【０００６】
また、関連する技術として、特許文献２には、利用可能な周波数チャネル数を減少させることなく、チャネルスキャンによる間欠受信動作の消費電力を節減できる無線通信システムが開示されている。このシステムは、無線端末局が複数の周波数チャネルを間欠的にスキャンする際に、１回のスキャン動作でスキャンする周波数チャネル数を、当該無線端末局が受信可能な周波数チャネルよりも少ない周波数チャネル数に限定するとともに、１回のスキャン動作でスキャンする所定数の周波数チャネルの一部を各スキャン毎に変更してスキャン動作を行うものである。
【０００７】
【特許文献１】特開２００３−３４８６４８号公報  （図１、図２）
【特許文献２】特開２０００−３３３２５９号公報  （図３、図４）
【発明の開示】
【発明が解決しようとする課題】
【０００８】
セルサーチ時間の増加は、電源投入時に通信可能となるまでの時間、および通信圏外から通信圏内へ復帰する時間に影響する。特に、通信中の無線同期外れ検出時には、接続中のＰＬＭＮに属するセルを短時間で検出し、接続中のＰＬＭＮとの通信状態を復旧する必要がある。このセル検出の時間を短縮する手段として、特許文献１では、全バンドセルサーチ時に全帯域の電力分布を測定してサーチ帯域の制限及び順位付けを行い、仮待ち受けセルを決定後、通常のバンドセルサーチを行っている。すなわち、この場合、全周波数の検索の結果として、受信電力の大きな帯域が選択され、通常のセルサーチが行われる。したがって、例えば図７に示すＰＬＭＮ＿Ｂとして運用される周波数Ｆ１１、あるいはＦ１３を高い受信電界強度で検出した場合には、検出した周波数のセルのＰＬＭＮを確認するために、無線基地局から送信される報知情報を取得する必要があり、無用な時間を費やしてしまう。このため、接続中のＰＬＭＮ＿Ａとの通信状態を復旧するまでの時間が大きく遅延してしまうことになる。
【０００９】
本発明の目的は、ＣＤＭＡ方式において、複数のＰＬＭＮによる複数の周波数が存在する場合に、ある特定のＰＬＭＮに属するセルを短時間で検出する移動通信端末装置及びその周波数検出方法を提供することにある。
【課題を解決するための手段】
【００１０】
前記目的を達成する本発明の一つのアスペクトに係る周波数検索方法は、移動通信端末装置が所定のＰＬＭＮに属するセルを検出する周波数検索方法である。この方法は、セルを検出する際に、予め優先度順に従って分類した周波数帯域に基づいてセルに対応する周波数を順次検索する。
【００１１】
第１の展開形態の周波数検索方法において、周波数帯域を、過去のセルサーチの結果に基づいて優先的な検索対象となる周波数帯域と非優先的な検索対象となる周波数帯域とに分類することが好ましい。
【００１２】
本発明の他のアスペクトに係る周波数検索方法は、移動通信端末装置が所定のＰＬＭＮに属するセルを検出する周波数検索方法である。この方法は、（ａ）接続対象のＰＬＭＮと接続するために保存されている周波数を検索するステップと、（ｂ）ＰＬＭＮに属するセルを検出したか否かをチェックし、セルが検出されない場合は、（ｃ）に進むステップと、（ｃ）ＰＬＭＮの運用周波数帯域に属する周波数を検索するステップと、（ｄ）ＰＬＭＮに属するセルを検出したか否かをチェックし、セルが検出されない場合は、（ｅ）に進むステップと、（ｅ）ＰＬＭＮの運用周波数帯域候補があるか否かを判定し、運用周波数帯域候補がある場合は、（ｆ）に進むステップと、（ｆ）運用周波数帯域候補に属する周波数を検索するステップと、（ｇ）ＰＬＭＮに属するセルを検出したか否かをチェックし、ＰＬＭＮに属するセルが検出されない場合は、次の運用周波数帯域候補を探すために、（ｅ）に進むステップと、を含む。
【００１３】
第２の展開形態の周波数検索方法において、ステップ（ｂ）、ステップ（ｄ）、ステップ（ｇ）のいずれかにおいてＰＬＭＮに属するセルが検出された場合は、検出した周波数をＰＬＭＮと共に保存し、保存した周波数に対応するＰＬＭＮの運用周波数帯域に関する保存内容を更新するステップをさらに含むことが好ましい。
【００１４】
第３の展開形態の周波数検索方法において、ＰＬＭＮの運用周波数帯域に隣接する周波数帯域を、運用周波数帯域候補の一番目とし、一番目に隣接し、かつ対象のＰＬＭＮの運用周波数帯域でない周波数帯域を、運用周波数帯域候補の二番目とし、順次、隣接する周波数帯域を、運用周波数帯域候補として定めることが好ましい。
【００１５】
第４の展開形態の周波数検索方法において、運用周波数帯域候補を定めるに際し、接続対象外のＰＬＭＮの運用周波数帯域を除外することが好ましい。
【００１６】
第５の展開形態の周波数検索方法において、運用周波数帯域候補を定めるに際し、運用周波数帯域の半分未満の範囲内でずらすことが好ましい。
【００１７】
本発明の一つのアスペクトに係る移動通信端末装置は、受信した復調信号に基づいて複数の基地局から所定の無線ゾーンを探し出すセルサーチ部と、ＰＬＭＮとＰＬＭＮの運用周波数情報とを記憶するセル情報記憶部と、セル情報記憶部の記憶内容に基づいてセルサーチ部に対して所定のセルをサーチするように指示し、指示したサーチ結果に基づいてセル情報記憶部の内容を更新させるセルサーチ制御部と、を備える。セルサーチ制御部は、サーチ対象となる複数の周波数帯域を分類してセル情報記憶部に記憶して管理し、予め優先度順に従って分類した周波数帯域に基づいてセルに対応する周波数を順次検索するようにセルサーチ部に指示する。
【００１８】
第１の展開形態の移動通信端末装置において、セルサーチ制御部は、複数の周波数帯域を、過去のセルサーチの結果に基づいて優先的な検索対象となる周波数帯域と非優先的な検索対象となる周波数帯域とに分類して管理することが好ましい。
【００１９】
第２の展開形態の移動通信端末装置において、セルサーチ制御部は、サーチ対象となる周波数帯域を運用周波数帯域候補とし、接続対象のＰＬＭＮの運用周波数帯域に隣接する周波数帯域を、運用周波数帯域候補の優先度の一番目とし、一番目に隣接し、かつ接続対象のＰＬＭＮの運用周波数帯域でない周波数帯域を、運用周波数帯域候補の優先度の二番目とし、順次、隣接する周波数帯域を、運用周波数帯域候補として定めることが好ましい。
【００２０】
第３の展開形態の移動通信端末装置において、セルサーチ制御部は、運用周波数帯域候補を定めるに際し、接続対象外のＰＬＭＮの運用周波数帯域を除外することが好ましい。
【００２１】
第４の展開形態の移動通信端末装置において、セルサーチ制御部は、運用周波数帯域候補を定めるに際し、運用周波数帯域の半分未満の範囲内でずらすことが好ましい。
【発明の効果】
【００２２】
本発明によれば、複数のＰＬＭＮによる複数の周波数が存在する場合に、ある特定のＰＬＭＮに属するセルを検出する際に、運用されている可能性がある多数の周波数の中から優先的に検出する周波数および非優先的に検出する周波数を決定しておき、段階的に周波数を検出する。したがって、ある特定のＰＬＭＮに属するセルを短時間で検出することができ、移動通信端末装置の消費電力を低減することができる。
【発明を実施するための最良の形態】
【００２３】
図１は、本発明の実施形態に係る移動通信端末装置の構成を表すブロック図である。図１において、移動通信端末装置１は、アンテナ１１、無線受信部１２、セルサーチ部１３、セルサーチ制御部１４、セル情報記憶部１５を備える。アンテナ１１は、基地局２１、２２、・・２Ｎからの電波を受信し、無線受信部１２は、受信した信号を復調する。セルサーチ部１３は、復調信号に基づいて複数の基地局から所定の無線ゾーンを探し出す（セルサーチ）。セル情報記憶部１５は、ＰＬＭＮと、ＰＬＭＮの運用周波数情報とを記憶する。セルサーチ制御部１４は、セル情報記憶部１５の記憶内容に基づいてセルサーチ部１３に対して所望のセルをサーチするように指示し、またサーチ結果が得られた場合に得られたＰＬＭＮとＰＬＭＮの運用周波数情報とをセル情報記憶部１５に記憶させる。なお、移動通信端末装置１は、セル検出機能以外に、各種信号処理、通話、マンマシンインタフェース、送信系などの機能を備えるが、本発明に係わらないので、これらの説明を省略する。
【００２４】
以上のように構成される移動通信端末装置１は、セルサーチ制御部１４によって、ＰＬＭＮで運用されている可能性がある周波数の帯域を複数の周波数帯域に分類（群分け）し、セル情報記憶部１５に記憶して管理する。そして、分類した周波数帯域の中から優先的に検出する周波数および非優先的に検出する周波数を決定してセルをサーチする。
【００２５】
次に、移動通信端末装置１が検出する周波数について説明する。図２は、ＰＬＭＮで運用される検出対象となる周波数の例を示す図である。移動通信端末装置１が、図２（ａ）で示すエリアで、ＰＬＭＮ＿Ａが運用する周波数として周波数Ｆ０１を検出して、ＰＬＭＮ＿Ａに接続した場合、周波数Ｆ０１がＰＬＭＮ＿Ａの周波数として運用されていることから、周波数Ｆ０１が属する周波数帯域ＦＢ２は、ＰＬＭＮ＿Ａが運用する周波数帯域（ＰＬＭＮ＿Ａ運用ＦＢ）であると認識する。また、特定の事業者へ割り当てられる周波数は、通常、連続していると想定し、ＰＬＭＮ＿Ａ運用ＦＢであるＦＢ２に隣接する周波数帯域ＦＢ１、ＦＢ３は、ＰＬＭＮ＿Ａが運用する周波数帯域の候補（ＰＬＭＮ＿Ａ運用ＦＢ候補）であると想定する。移動通信端末装置１が、ＰＬＭＮ＿Ａに接続した状態で、図２（ｂ）に示すエリアへ移動した場合、保存周波数Ｆ０１を再検出することができない。そこで、ＰＬＭＮ＿Ａ運用ＦＢであるＦＢ２に属する周波数やＰＬＭＮ＿Ａ運用ＦＢ候補であるＦＢ１、ＦＢ３に属する周波数を優先的に検索することにより、ＰＬＭＮ＿Ａが運用する周波数Ｆ０２を検出することを可能とする。更に、ＦＢ４も、ＰＬＭＮ＿Ａ運用ＦＢ候補であると想定することで、ＦＢ４に属する周波数を優先的に検索することにより、ＰＬＭＮ＿Ａが運用する周波数Ｆ０３を検出することも可能である。
【００２６】
さらに、移動通信端末装置１が、図２（ａ）で示すエリアで、周波数Ｆ１１、Ｆ１２をＰＬＭＮ＿Ｂに属する周波数として検出した場合、周波数Ｆ１１、Ｆ１２がＰＬＭＮ＿Ｂの周波数として運用されていることから、周波数Ｆ１１が属する周波数帯域ＦＢ５、周波数Ｆ１２が属する周波数帯域ＦＢ６は、ＰＬＭＮ＿Ｂが運用する周波数帯域（ＰＬＭＮ＿Ｂ運用ＦＢ）であると認識する。移動通信端末装置１が、図２（ａ）で示すエリアで、周波数Ｆ０１をＰＬＭＮ＿Ａが運用する周波数として検出して、ＰＬＭＮ＿Ａに接続した場合、ＰＬＭＮ＿Ｂ運用ＦＢに属する周波数がＰＬＭＮ＿Ａにより運用されることはないと判断する。そして、ＰＬＭＮ＿Ｂ運用ＦＢに属する周波数を非優先的に検索することにより、ＰＬＭＮ＿Ｂに属する周波数Ｆ１１、Ｆ１３が検出されることを抑制する。
【００２７】
以上説明したように、本発明によれば、ある特定のＰＬＭＮに属するセルを検出する際に、優先順に基づいて段階的に周波数を検出しているので、検出処理に長時間を要する全周波数の検索を抑制しつつ、未知の周波数を検出できる。また、ある特定のＰＬＭＮに属するセルを検出する際に、運用されている可能性がある多数の周波数の中から優先的に検出する周波数を決定し、段階的に周波数を検出するので、ある特定のＰＬＭＮに属するセルを優先的に短時間で検出できる。さらに、ある特定のＰＬＭＮに属するセルを検出する際に、運用されている可能性がある多数の周波数の中から非優先的に検出する周波数を決定し、段階的に周波数を検出するので、ある特定のＰＬＭＮではない運用周波数が検出されることを抑制できる。
【実施例】
【００２８】
本発明の実施例に係る移動通信端末装置の動作について、図１、図３、図４、図５、図６を参照してセルサーチ制御部１４の動作を主として説明する。なお、図３は、複数の周波数帯域（ＦＢ：Frequency Band）の例を示す図である。図３では、ＣＤＭＡ方式で割り当てられる無線基地局から移動通信端末方向の周波数帯域である２１１０ＭＨｚから２１７０ＭＨｚの６０ＭＨｚを、５ＭＨｚ毎に１２の周波数帯域ＦＢ１〜ＦＢ１２に群分けして管理している。
【００２９】
図４は、選択されたＰＬＭＮに属するセルで通信開始可能状態となるまでの動作を示すフローチャートである。移動通信端末装置１のセルサーチ制御部１４は、電源投入後、優先度の高いＰＬＭＮの検出の際、ユーザによるＰＬＭＮ指定時に、接続するＰＬＭＮを選択する（ステップＳ１１）。ステップＳ１１で選択されたＰＬＭＮに属するセルを検索する（ステップＳ１２）。ステップＳ１２のセルの検索処理において、複数の周波数や複数のＰＬＭＮを検出することがあり、その検出した周波数をＰＬＭＮと共にセル情報記憶部１５に保存する。周波数が重複しないように保存し、保存した周波数に対応するＰＬＭＮの運用ＦＢの情報を更新する（ステップＳ１３）。ステップＳ１２のセルの検索処理の結果、選択されたＰＬＭＮに属するセルで待ち受け処理を行い、圏内となる（ステップＳ１４）。
【００３０】
ステップＳ１４において、セルサーチ制御部１４は、無線基地局から送信される報知情報を取得しており、ステップＳ１５において、報知情報から取得した周波数情報をＰＬＭＮと共にセル情報記憶部１５に保存する。周波数が重複しないように保存し、保存した周波数に対応するＰＬＭＮの運用ＦＢの情報を更新する。
【００３１】
ステップＳ１６において、圏外を検出した場合は、ステップＳ１２のセルの検索処理に戻り、セルの検索処理を実施する。一方、圏外を検出しない（圏外ではない）場合は、通信開始可能な状態を継続する（ステップＳ１７）。ステップＳ１７の処理において、実際の移動通信端末装置の動作としては、セル再選択処理が行われており、新しいセルの報知情報を再度取得し、ステップＳ１５に戻る。
【００３２】
図５は、図４で示したステップＳ１７の通信開始可能状態において、待ち受け中のセルで通信を開始してから通信を終了するまでの動作を示すフローチャートである。移動通信端末装置１は、位置登録処理および発着信処理のため、待ち受け中のセルで通信を開始する（ステップＳ２１）。
【００３３】
ステップＳ２２において、セルサーチ制御部１４は、通信中に取得した周波数情報をＰＬＭＮと共にセル情報記憶部１５に保存する。周波数が重複しないように保存し、保存した周波数に対応するＰＬＭＮの運用ＦＢの情報を更新する。ステップＳ２３において、セルサーチ部１３が、通信中無線同期外れ、または、圏外を検出した場合、セルサーチ制御部１４は、接続中のＰＬＭＮに属するセルを検索し（ステップＳ２６）、接続中のＰＬＭＮに属するセルで通信を復旧する（ステップＳ２７）。そして、ステップＳ２２に戻る。
【００３４】
一方、ステップＳ２３において、通信中無線同期外れ、および圏外を検出しない場合、ステップＳ２４において、通信を継続するか、終了するかを判断する。通信を継続する場合、ステップＳ２２に戻る。通信を終了する場合、待ち受け処理を行い（ステップＳ２５）、通信開始可能状態へ戻る。
【００３５】
図６は、ある特定のＰＬＭＮに属するセルを検出する際に、運用されている可能性がある多数の周波数の中から優先的に検出する周波数および非優先的に検出する周波数を段階的に検出する動作を示すフローチャートである。図６における処理は、図４で示したステップＳ１２における選択されたＰＬＭＮに属するセルを検索する処理、図５で示したステップＳ２６における接続中のＰＬＭＮに属するセルを検出する処理において実施される。
【００３６】
最初に、接続中のＰＬＭＮのために保存された周波数の検出を行う（ステップＳ３１）。この検出処理において既知の周波数が検出可能である。ステップＳ３２において、接続中のＰＬＭＮに属するセルが検出されなかった場合は、接続中のＰＬＭＮの運用ＦＢに属する周波数を検索する（ステップＳ３３）。さらに、ステップＳ３４において、接続中のＰＬＭＮに属するセルが検出されなかった場合は、ステップＳ３５において、接続中のＰＬＭＮの運用ＦＢ候補があるか否かを判定する。なお、接続中のＰＬＭＮの運用ＦＢ候補を決定する方法については後述する。接続中のＰＬＭＮの運用ＦＢ候補がある場合、その運用ＦＢ候補に属する周波数を検索し（ステップＳ３６）、ステップＳ３７に進む。ステップＳ３７において、接続中のＰＬＭＮに属するセルが検出されなかった場合は、ステップＳ３５に戻る。
【００３７】
ステップＳ３２、Ｓ３４、Ｓ３７において、接続中ＰＬＭＮに属するセルが検出された場合は、ステップＳ３９において、処理中に検出した周波数をＰＬＭＮと共に保存する。周波数が重複しないように保存し、保存した周波数に対応するＰＬＭＮの運用ＦＢの情報を更新し、処理を終了する。
【００３８】
一方、ステップＳ３５において、接続中のＰＬＭＮの運用ＦＢ候補がない場合は、接続中ではないＰＬＭＮの運用ＦＢに属する周波数を検索する（ステップＳ３８）。ステップＳ３８において、接続中のＰＬＭＮに属するセルが検出された場合であっても、検出されなかった場合であっても、処理中に検出した周波数をＰＬＭＮと共に保存する。周波数が重複しないように保存し、保存した周波数に対応するＰＬＭＮの運用ＦＢを更新し（ステップＳ３９）、処理を終了する。
【００３９】
次に、接続中のＰＬＭＮの運用ＦＢ候補を決定する方法について説明する。特定の事業者へ割り当てられる周波数は、通常、連続しているものと想定し、接続中のＰＬＭＮの運用ＦＢに隣接するＦＢを接続中のＰＬＭＮの運用ＦＢ候補一番目とする。接続中のＰＬＭＮの運用ＦＢ候補一番目に隣接し、かつ接続中のＰＬＭＮの運用ＦＢでないＦＢを、接続中のＰＬＭＮの運用ＦＢ候補二番目とする。順次、隣接するＦＢを、接続中のＰＬＭＮの運用ＦＢ候補として決定する。ただし、非接続中のＰＬＭＮの運用ＦＢは除外して決定する。
【００４０】
図２を用いて、接続中のＰＬＭＮの運用ＦＢと運用ＦＢ候補との関係を説明する。図２（ａ）で示すエリアで、周波数Ｆ０１をＰＬＭＮ＿Ａが運用する周波数として検出し、周波数Ｆ１１、Ｆ１２をＰＬＭＮ＿Ｂに属する周波数として検出した場合、周波数帯域ＦＢ２は、ＰＬＭＮ＿Ａの運用ＦＢとなり、周波数帯域ＦＢ５、周波数帯域ＦＢ６は、ＰＬＭＮ＿Ｂの運用ＦＢとなる。そこで、ＰＬＭＮ＿Ａに接続した場合、ＰＬＭＮ＿Ａの運用ＦＢであるＦＢ２に隣接する周波数帯域ＦＢ１、ＦＢ３がＰＬＭＮ＿Ａの運用ＦＢ候補一番目となり、ＦＢ４がＰＬＭＮ＿Ａの運用ＦＢ候補二番目となる。ＦＢ５、ＦＢ６は、非接続中ＰＬＭＮ＿Ｂの運用ＦＢであるため、これらを飛ばし、ＦＢ７がＰＬＭＮ＿Ａの運用ＦＢ候補三番目となる。
【００４１】
以上の説明では、ＰＬＭＮの運用ＦＢを決定する際、検出した周波数が属するＦＢのみをＰＬＭＮの運用ＦＢとした。ところで、ＣＤＭＡ方式では運用周波数が拡散されるため、その帯域がＦＢを跨るようなケースがある（例えば、図２（ｂ）のＦ１３に対応する帯域）。そこで、ＦＢを跨るようなことを考慮して運用ＦＢを決定しても良い。例えば、中心周波数に拡散帯域の約半分（例えば２ＭＨｚ）を加減した周波数が属するＦＢを運用ＦＢとする方法がある。
【００４２】
また、以上の説明で、一回の検索時において、運用されている可能性がある多数の周波数の中から優先的に検出する周波数および非優先的に検出する周波数を決定し、段階的に検出する方法を示した。圏外状態におけるセルサーチにおいて、タイマ処理等による周期的なセルサーチを実施すると共に、優先的に検出する周波数帯域ＦＢのみを検索するようにしてもよい。これにより、全周波数の検索を回避して、消費電力を抑制することも可能である。
【図面の簡単な説明】
【００４３】
【図１】本発明の実施形態に係る移動通信端末装置の構成を示すブロック図である。
【図２】ＰＬＭＮで運用される検出対象となる周波数の例を示す図である。
【図３】複数の周波数帯域の例を示す図である。
【図４】選択されたＰＬＭＮに属するセルで通信開始可能状態となるまでの動作を示すフローチャートである。
【図５】待ち受け中のセルで通信を開始してから通信を終了するまでの動作を示すフローチャートである。
【図６】周波数を段階的に検出する動作を示すフローチャートである。
【図７】ＰＬＭＮで運用される周波数の例を示す図である。
【符号の説明】
【００４４】
１  移動通信端末装置
１１  アンテナ
１２  無線受信部
１３  セルサーチ部
１４  セルサーチ制御部
１５  セル情報記憶部
２１、２２、・・２Ｎ  基地局
【図１】
2006100992.tif 000003
【図２】
2006100992.tif 000004
【図３】
2006100992.tif 000005
【図４】
2006100992.tif 000006
【図５】
2006100992.tif 000007
【図６】
2006100992.tif 000008
【図７】
2006100992.tif 000009